(57)【要約】      （修正有）【課題】形成された造花の形態維持を可能とする従来とは異なる花形成用リボンを提供する。【解決手段】造花形成用リボン１０は、互いに重ね合わされた一対のリボン片１２と、両リボン片間に配置されリボン片に沿って伸びる少なくとも一つの紐１４とを備え、両リボン片と紐とはこれらの一端部１２ａ、１４ａにおいて互いに結合され、また、両リボン片は、紐に対して紐の長手方向に相対移動可能であるように、リボン片の長手方向に関して互いに間隔をおかれた複数の線Ｌの各線上の少なくとも二箇所において互いに結合されている。造花は、紐に対して両リボン片の他端部１２ｂをこれらの一端部１２ａに向けて相対移動をさせることにより形成される。また、紐に設けられた、造花の形成後における両リボン片の一方の他端部に当接するストッパ２２を備える。【選択図】図１
0003194863.tif 000002
【実用新案登録請求の範囲】
【請求項１】
互いに重ね合わされた一対のリボン片と、両リボン片間に配置され該リボン片に沿って伸びる少なくとも一つの紐とを備え、両リボン片と前記紐とがこれらの一端部において互いに結合され、また、両リボン片が前記紐に対して該紐の長手方向に相対移動可能であるように前記リボン片の長手方向に互いに間隔をおかれた複数の線の各線上の少なくとも二箇所において互いに結合されており、前記紐に対して両リボン片の他端部をこれらの一端部に向けて相対移動をさせることにより造花が形成される造花形成用リボンであって、
前記紐に設けられた、前記造花の形成後における両リボン片の一方の他端部に係止可能であるストッパを備える、造花形成用リボン。
【請求項２】
前記ストッパは弾性板からなり、該弾性板は前記紐に固定された固定部と固定されていない非固定部とを有し、前記固定部及び非固定部はそれぞれ両リボン片の他端部側及び一端部側にあり、前記非固定部が両リボンの一方の他端部に係止可能である、請求項１に記載の造花形成用リボン。
【請求項３】
前記ストッパは、前記紐に形成されたスリット又は切欠きにより生じた前記紐の一部からなる、請求項１に記載の造花形成用リボン。
【考案の詳細な説明】
【技術分野】
【０００１】
本考案は、贈答品のような装飾対象物の装飾に用いられる造花を形成するためのリボンに関する。
【背景技術】
【０００２】
従来、互いに重ね合わされた一対のリボン片と、両リボン片間に配置され該リボン片に沿って伸びる一対の紐とを備え、両リボン片と両紐とがこれらの一端部において互いに結合され、また、両リボン片が前記紐に対して該紐の長手方向に相対移動が可能であるように前記リボン片の長手方向に間隔をおかれた複数の線の各線上の少なくとも二箇所において互いに結合され、また、両紐の互いに相対する両面の一部又は全部に粘着性が付与されている造花形成用リボンが提案されている（後記特許文献１参照）。
【０００３】
この造花形成用リボンによれば、前記紐に対して両リボン片の他端部をこれらの一端部に向けて相対移動をさせると、各リボン片の前記線相互間の部分と、各リボン片の一端部及びこれに隣接する前記線の間の部分とがそれぞれ外方へループ状に膨らみ、これらのループ状の部分を花弁とする造花が形成される。また、造花の形成後、造花を装飾対象物に取り付けるべくこれに両ひもを掛けて接着させると、両リボン片の前記紐に対する逆方向への相対移動とこれに伴う前記ループ状の部分の消失とが防止され、前記造花の形態が維持される。
【先行技術文献】
【特許文献】
【０００４】
【特許文献１】特開平０７−１３３５６８号公報
【考案の概要】
【考案が解決しようとする課題】
【０００５】
本考案の目的は、形成された造花の形態維持を可能とする、従来とは異なる花形成用リボンを提供することにある。
【課題を解決するための手段】
【０００６】
本考案は、互いに重ね合わされた一対のリボン片と、両リボン片間に配置され該リボン片に沿って伸びる少なくとも一つの紐とを備え、両リボン片と前記紐とがこれらの一端部において互いに結合され、また、両リボン片が前記紐に対して該紐の長手方向に相対移動可能であるように前記リボン片の長手方向に互いに間隔をおかれた複数の線の各線上の少なくとも二箇所において互いに結合されており、前記紐に対して両リボン片の他端部をこれらの一端部に向けて相対移動をさせることにより造花が形成される造花形成用リボンであって、前記紐に設けられた、前記造花の形成後における両リボン片の一方の他端部に係止可能であるストッパを備える。
【０００７】
本考案によれば、前記紐に対する両リボン片の相対移動による造花の形成後、前記ストッパを両リボンの一方の他端部に係止させることにより、逆方向への相対移動を阻止することができ、これにより、前記造花の形態を維持することができる。また、前記ストッパは両リボン片の他端部に隠れ、見えにくいことから、前記造花の装飾効果を損なうことはない。
【０００８】
前記ストッパは例えば弾性板からなるものとすることができる。前記弾性板は前記紐に固定された固定部と固定されていない非固定部とを有し、前記固定部及び非固定部はそれぞれ前記紐の他端部側及び一端部側にあり、前記非固定部が両リボンの一方の他端部に係止可能である。
【０００９】
前記ストッパは、また、前記紐に形成されたスリット又は切欠きにより生じた前記紐の一部からなるものとすることができる。
【図面の簡単な説明】
【００１０】
【図１】造花形成用リボンの構成要素である一対のリボン片の一方の他端部をめくって示す前記造花形成用リボンの平面図である。
【図２】造花の形成途次にある造花形成用リボンの斜視図である。
【図３】形成された造花の背面斜視図である。
【図４】他の例に係る造花形成用リボンの一部を破断して示す部分平面図である。
【図５】図４に示す造花形成用リボンにより形成された造花の背面斜視図である。
【図６】さらに他の例に係る造花形成用リボンの一部を破断して示す部分平面図である。
【図７】さらに他の例に係る造花形成用リボンの一部を破断して示す部分平面図である。
【考案を実施するための形態】
【００１１】
図１を参照すると、造花形成用リボンが全体に符号１０で示されている。
【００１２】
造花形成用リボン１０は、互いに重ね合わされた一対のリボン片１２と、両リボン片１２間に配置され両リボン片１２に沿ってこれらの長手方向へ伸びる一対の紐１４とを備える。紐１４は、図示の例におけるように、リボン片１２より細い幅寸法を有するリボン片からなるものとすることができる。また、紐１４の数量は、これを一対とする図示の例に代えて、１又は３以上とすることができる。両リボン片１２と両紐１４とはこれらの一端部１２ａ，１４ａにおいて互いに結合されている。また、両リボン片１２は、両リボン片１２が両紐１４に対してこれらの長手方向へ相対移動可能であるように、両リボン片１２の長手方向に互いに間隔をおかれた複数の線Ｌの各線上の少なくとも二箇所（後述する接合箇所１８）において、互いに結合されている。
【００１３】
図示のリボン片１２および紐１４はそれぞれナイロン繊維やポリエステル繊維のような合成繊維製の織布からなり、溶接、ヒートシール等により互いに結合されている。符号１６は両リボン片１２及び両紐１４の双方の一端部１２ａ、１４ａにおける結合箇所を示し、符号１８は両リボン片１２相互の結合箇所を示す。結合箇所１８は両リボン片１２の各縁部にあり、両縁部に位置する２つの結合箇所１８間を両紐１４が伸びている。
【００１４】
リボン片１２および紐１４は、前記合成繊維製の織布の他、合成繊維製の不織布、ポリプロピレンやビニルのような合成樹脂製のテープ、紙製のテープ、天然繊維製の織布、天然繊維製の不織布等からなるものとすることができる。両リボン片１２および両紐１４同士の相互結合および両リボン片１２同士の相互結合は、前記溶接またはヒートシールに代えて、例えば接着剤、縫い合わせ、鳩目、ホッチキスによる綴じ合わせ等によるものとすることができる。
【００１５】
複数の線Ｌはそれぞれ両リボン片１２を斜めに横切り、これらの傾斜方向が交互に反対方向へ変化している。各線Ｌが両リボン片１２を横切る角度（傾斜角度）は任意に定めることができる。両リボン片１２を横切る線Ｌの傾きに応じて、後記造花の対をなす花弁相互の開き角度と、両紐１４の周りの各対の花弁相互の相対位置が変化する。さらに、線Ｌの数量は任意に定めることができ、線Ｌの数量に応じて、前記花弁の総数が変化する。
【００１６】
図２に示すように、両紐１４に対して両リボン片１２の他端部１２ｂをこれらの一端部１２ａに向けて相対移動をさせると、両リボン片１２の互いに隣接する線Ｌ相互間の一部１２ｃと、両リボン片１２の一端部１２ａとこれに隣接する線Ｌとの間の他の一部１２ｄとがそれぞれ外方に膨らむ。前記相対移動を続けると、両リボン片１２の長手方向に互いに隣接する両線Ｌが近接し、また、一端部１２ａにおける結合箇所１６とこれに隣接する線Ｌとが互いに近接し、各リボン片部分１２ｃ，１２ｄはループ状に変形する。その結果、ループ状の各リボン片部分１２ｃ，１２ｄを花弁とする造花２０（図３、図５参照）が形成される。このとき、形成後の造花２０から、すなわち両リボン片１２の他端部１２ｂに最も近い線Ｌ上の両結合箇所１８間からその下方へ両紐１４の大部分が伸び出る。
【００１７】
ところで、造花２０の形成後、これをそのままにすると、ループ状に変形した前記各リボン片部分の弾性復帰のために、両リボン片１２の両端部１２ｂの両紐１４に対する反対方向への相対移動（両紐１４の他端部１４ｂに向けての両端部１２ｂの移動）が生じ、これに伴って造花２０の形態が崩れる。
【００１８】
本考案にあっては、両紐１４の一方又は双方に、形成後の造花２０の形態を維持するためのストッパ２２が設けられている。ストッパ２２は造花形成後における両リボン片１２の一方の他端部１２ｂに当接又は係止し、これにより、両リボン片１２の端部１２ｂの前記反対方向への相対移動を阻止し、これにより造花２０の形態を保つ働きをなす。このため、ストッパ２２は、造花２０の形成後における両リボン片１２の他端部１２ｂに最も近い線Ｌ上の両結合箇所１８間からその下方に現れるように位置決められる。
【００１９】
ストッパ２２は、例えば一方の紐１４に取り付けられた弾性板（図１）からなるもの、あるいは両紐１４に設けられたスリット２４（図４、図６）又は切欠き２６（図７）により生じた両紐１４の一部からなるもの、とすることができる。
【００２０】
図示の弾性版は細長い矩形の平面形状を有するプラスチック板からなり、紐１４の表面上に該紐と平行に配置されている。前記弾性板は、紐１４に固定された固定部２２ａと固定されていない非固定部２２ｂとを有する。固定部２２ａ及び非固定部２２ｂはそれぞれ紐１４の他端部１４ｂの側及び一端部１４ａの側にある。前記弾性板の非固定部２２ｂは、形成後の造花２０における両リボン片１２の一方の他端部１２ｂに係止可能である。非固定部２２ｂは、両リボン片１２の一方の他端部１２ｂに対する係止の間、弾性変形をする（図３）。前記弾性板は図示の例に代えて、両紐１４のそれぞれに取り付けることができる。
【００２１】
次に、図４に示すストッパ２２を参照すると、ストッパ２２である両紐１４の前記一部を規定するスリット２４が、両紐１４をこれらの一方の縁から他方の縁に向けて幅方向へ直角に伸びかつ該他方の縁に至る手前で終端している。スリット２４は、図示の例に代えて、両紐１４を斜めに横断する方向へ伸びるものとすることができる。両紐１４の一部からなるストッパ２２は、造花２０の形成後、両紐１４を捻じ曲げることにより、両紐１４の前記一部を両リボン片１２の一方の他端部１２ｂに係止させることができる。捻じ曲げられた両紐１４の前記一部は、両リボン片１２の他端部１２ｂの前記逆方向への相対移動を阻止する働きをなす（図５参照）。
【００２２】
図６に示すように、スリット２４は、前記した例に代えて、山形をなすものとすることができる。山形のスリット２４は両紐１４の幅方向におけるほぼ中央に位置し、両紐１４の一端部１４ａに向けて凸をなしている。これによれば、スリット２４に沿って両紐１４の前記一部を立て起こすことにより、前記一部を、両リボン片１２の他端部１２ｂの一方又は双方に係止させることができる。スリット２４は、前記山形とすることに代えて、例えば半円形とすることができる。
【００２３】
また、図７に示すように、切欠き２６は、紐１４をその一方の縁から他方の縁に向けてＶ字形に切り欠いてなり、前記一方の縁の側に開放している。前記Ｖ字形が開放する方向は任意に設定することができるが、好ましくは、図７に示すように、両紐１４の一端部１４ａ寄りの方向である。この例にあっては、両紐１４を捻じ曲げることにより、両紐１４の前記一部を両リボン片１２の一方の他端部１２ｂに係止させることができる。捻じ曲げられた両紐１４の前記一部は、両リボン片１２の他端部１２ｂの前記逆方向への相対移動を阻止する働きをなす。
【００２４】
スリット２４及び切欠き２６は、両紐１４に形成する図示の例に代えて、両紐１４の一方にのみ形成することができる。
【００２５】
ストッパ２２により両紐１４に対する両リボン片１２の前記逆方向への相対移動を阻止された造花２０は、例えば、両リボン片１２の他端部１２ｂ相互間から伸び出る両紐１４の一部を切断した後、両紐１４の貼着により、あるいは、非切断の両紐１４による結び付けにより、贈答品あるいは贈答品の包装に取り付けることができる。
【符号の説明】
【００２６】
１０  造花形成用リボン
１２  リボン片
１２ａ、１２ｂ  リボン片の一端部及び他端部
１４  紐
１４ａ、１４ｂ  紐の一端部及び他端部
１６、１８  結合部
２０  造花
２２  ストッパ
２４  スリット
２６  切欠き
Ｌ  線
【図１】
0003194863.tif 000003
【図２】
0003194863.tif 000004
【図３】
0003194863.tif 000005
【図４】
0003194863.tif 000006
【図５】
0003194863.tif 000007
【図６】
0003194863.tif 000008
【図７】
0003194863.tif 000009